【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
基板、
基板の同一面上の第一の電極及び第二の電極（少なくとも第一の電極は半透明又は透明である）、並びに
第一の電極及び第二の電極の間にはさまれた有機電界発光層
を含み、
第一の電極が２％以上の曇り度を有する拡散性導電層を含み、拡散性導電層が、素子により放射された光が出力する側にあることを特徴とする有機発光素子。
【請求項２】
基板が透明基板であることを特徴とする請求項１に記載の発光素子。
【請求項３】
曇り度が５〜２０％であることを特徴とする請求項１又は２に記載の発光素子。
【請求項４】
第一の電極が、（１５，８２）、（１０，８４）、（６，８５）の（Ｈ，ＴＬ）点によって定義された線の上又は線より上にあるＨ（ＴＬ）グラフで表されている光透過率（ＴＬ）によって増加する曇り度（Ｈ）からなる因子を有することを特徴とする請求項１〜３のいずれか１項に記載の発光素子。
【請求項５】
第一の電極が吸収度×０．６Ω／□未満の表面電気抵抗率の積を有することを特徴とする請求項１〜４のいずれか１項に記載の発光素子。
【請求項６】
第一の電極が１５Ω／□以下の抵抗／□（Ｒ□）を有することを特徴とする請求項１〜５のいずれか１項に記載の発光素子。
【請求項７】
抵抗／□（Ｒ□）が、１２Ω／□以下であることを特徴とする請求項６に記載の発光素子。
【請求項８】
抵抗／□（Ｒ□）が、１０Ω／□以下であることを特徴とする請求項７に記載の発光素子。
【請求項９】
基板が透明であり、第一の電極が基板に最も近いことを特徴とする請求項１〜８のいずれか１項に記載の発光素子。
【請求項１０】
第二の電極が、拡散性導電層から生じた荒さによって、光を拡散していることを特徴とする請求項９に記載の発光素子。
【請求項１１】
拡散性導電層が、大部分が結晶質のドープ金属酸化物から作られることを特徴とする請求項１〜１０のいずれか１項に記載の発光素子。
【請求項１２】
拡散性導電層が堆積直後の拡散面を有する層であることを特徴とする請求項１〜１１のいずれか１項に記載の発光素子。
【請求項１３】
拡散性導電層の表面には５０ｎｍを超える大きさの荒さがあることを特徴とする請求項１〜１２のいずれか１項に記載の発光素子。
【請求項１４】
拡散性導電層が、堆積後のテクスチャリングによって少なくとも部分的に生じた荒さを有する層であることを特徴とする請求項１３に記載の発光素子。
【請求項１５】
拡散性導電層が、１０ｎｍを超える大きさにテクスチャリングされた基板によって少なくとも部分的に生じた荒さを有することを特徴とする請求項１〜１４のいずれか１項に記載の発光素子。
【請求項１６】
拡散性導電層が、堆積直後には１０ｎｍを超える大きさの荒さを有する無機層上に堆積されていることを特徴とする請求項１〜１５のいずれか１項に記載の発光素子。
【請求項１７】
拡散性導電層が、スズ及び酸素を主成分とする層であることを特徴とする請求項１６に記載の発光素子。
【請求項１８】
拡散性導電層が、ドープされていない鉱物酸化物から作られた第一の導電層を含む多層であり、前記第一の層が同一の鉱物酸化物（ただし前記鉱物酸化物はドープされている）から作られた第二の導電層で被覆されていることを特徴とする請求項１〜１７のいずれか１項に記載の発光素子。
【請求項１９】
ドープされていない鉱物酸化物を主成分とする第一の層の厚さが１５０〜９００ｎｍであることを特徴とする請求項１８に記載の発光素子。
【請求項２０】
ドープされている鉱物酸化物及び／又はドープされていない鉱物酸化物が、６００℃以上の温度で堆積されることを特徴とする請求項１８又は１９に記載の発光素子。
【請求項２１】
第一の層が酸化スズ（ＳｎＯ２）を主成分とし、第二の層がフッ素ドープ型酸化スズ（ＳｎＯ２：Ｆ）を主成分とすることを特徴とする請求項１８〜２０のいずれか１項に記載の発光素子。
【請求項２２】
さらに第一の電極が導電性金属酸化物を主成分とする少なくとも１つの被覆層を含み、この被覆層がフッ素ドープ型酸化スズ（ＳｎＯ２：Ｆ）を主成分とする第二の層上に堆積していることを特徴とする請求項１８〜２１のいずれか１項に記載の発光素子。
【請求項２３】
導電性金属酸化物が、スズで、亜鉛で若しくはモリブデンでドープされた酸化インジウム、又はドープされていない酸化インジウム、又は酸化亜鉛であることを特徴とする請求項２２に記載の発光素子。
【請求項２４】
第一の層が酸化亜鉛（ＺｎＯ）を主成分とし、第二の層がアルミニウムドープ型酸化亜鉛（ＺｎＯ：Ａｌ）を主成分とすることを特徴とする請求項１８又は１９に記載の発光素子。
【請求項２５】
前記の選択されたガラス基板及びガラス基板に最も近い電極の間に入っていて、かつアルカリ金属に対するバリアーを形成している少なくとも１種のバリアー層を備えていることを特徴とする請求項１〜２４のいずれか１項に記載の発光素子。
【請求項２６】
バリアー層に１０ｎｍを超える大きさの荒さがあることを特徴とする請求項２５に記載の発光素子。
【請求項２７】
バリアー層が、窒化ケイ素又は酸窒化ケイ素、窒化アルミニウム又は酸窒化アルミニウム、酸化ケイ素又は酸炭化ケイ素の化合物の少なくとも１種から選択された誘電体を主成分とすることを特徴とする請求項２５又は２６に記載の発光素子。
【請求項２８】
バリアー層が２０〜１５０ｎｍの厚さを有することを特徴とする請求項２７に記載の発光素子。
【請求項２９】
バリアー層が、異なる屈折率を有する誘電体の少なくとも２つの層からなる光学用多層被膜の一部を形成することを特徴とする請求項２５〜２８のいずれか１項に記載の発光素子。
【請求項３０】
バリアー層ではＳｉ３Ｎ４／ＳｉＯ２の順又はＳｉ３Ｎ４／ＳｉＯ２／Ｓｉ３Ｎ４の順で、１．９〜２．３の高屈折率を有する層及び１．４〜１．７の低屈折率を有する層が交互になっていることを特徴とする請求項２９に記載の発光素子。
【請求項３１】
第一の電極が、気相中の、熱分解によって電界発光層上に堆積したドープされている及び／又はドープされていない鉱物酸化物を主成分とし、第二の電極が金属を含むことを特徴とする請求項１〜３０のいずれか１項に記載の発光素子。
【請求項３２】
基板が超透明ガラスであることを特徴とする請求項１〜３１のいずれか１項に記載の発光素子。
【請求項３３】
基板の面の一部が、反射防止、疎水性、光触媒、日照調整又は低放射率（ｌｏｗ‐Ｅ）型の機能性を提供する堆積物で被覆されていることを特徴とする請求項１〜３２のいずれか１項に記載の発光素子。
【請求項３４】
照明、装飾、建築用若しくは指示装置又はディスプレイパネルを形成し、
ビルディングを対象とする（したがって照明ファサード、照明窓を形成している）、
自動車のリヤ・ウィンドウ、サイド・ウィンドウ又はサンルーフのように輸送機関を対象とする又は任意の他の地上車、水中車若しくは航空機を対象とする、
屋根のあるバス待合所のような都市用品、ショーケース、宝石棚、ショーウィンドウ、棚用部材、水族館又は温室を対象とする、
或いは室内用品、鏡、家具、又は電気的に制御可能なグレーズを対象とする
ことを特徴とする請求項１〜３３のいずれか１項に記載の発光素子。
【請求項３５】
２％以上の曇り度を有する透明な拡散性導電層の、有機発光素子の基板に最も近い電極の層としての使用。
【請求項３６】
拡散性導電層が、ドープされていない鉱物酸化物から作られた第一の透明な導電層を含む多層であり、前記第一の層が同一のドープされている鉱物酸化物から作られた第二の透明な導電層で被覆されていることを特徴とする請求項１〜３５のいずれか１項に記載の拡散性導電層の使用。
【請求項３７】
第一の層が酸化スズ（ＳｎＯ２）を主成分とし、第二の層がフッ素ドープ型酸化スズ（ＳｎＯ２：Ｆ）を主成分とするか、第一の層が酸化亜鉛（ＺｎＯ）を主成分とし、第二の層がアルミニウムドープ型酸化亜鉛（ＺｎＯ：Ａｌ）を主成分とすることを特徴とする請求項３６に記載の拡散性導電層の使用。